(57)【要約】【課題】水洗式の便器にて大便の排泄時における、便器中の溜り水の跳ね返りを防止すると共に、排泄後の水洗時に当該浮遊球体が、水洗流の渦巻流に吸い込まれることなく、浮遊球体の表面及び便器の内壁に付着した大便をも水洗流と浮遊球体とによって、自動的に効率よく脱落させる為の形態と材質を有する浮遊球体を提供する。【解決手段】便器の水洗時の水洗流による排水口（５）への吸い込みを防止するために、直径１０〜１２センチメートルの浮遊球体（１）表面に凸部又は半球状の凹部（２ａ）、（２’ａ）、（２ｂ）、（２’ｂ）、（２ｃ）、（２’ｃ）を当該球体の中心に関して点対称の位置、且つ当間隔の位置に６個、又は１４個施しておき、水洗時の水洗流による浮遊球体（１）の回転を効率能く促すことによって、便器の内壁（３’）や浮遊球体（１）の表面に付着した大便を脱落し易くした便器用浮遊球体である。又、便器用浮遊球体（１）の材質が発泡スチロール製の固いものだと、当該球体（１）の表面部における当該凹凸部（２ａ）、（２’ａ）、（２ｂ）、（２’ｂ）、（２ｃ）、（２’ｃ）は無くても大便の脱落は比較的よい。これらの場合、大排便の直前に当該浮遊球体（１）の上へ長さ約２０ｃｍの一重のトイレットペーパーを被せ置くと大便の付着率が減少する。【選択図】    図３
2005344495.tif 000002
【特許請求の範囲】
【請求項１】
浮遊球体（１）の表面上に、突起（２ａ）等を数個以上設けた便器用浮遊球体。
【発明の詳細な説明】
【技術分野】
【０００１】本発明は、水洗式便器中又は携帯式便器中の溜水に浮遊球体を浮かべておいて、大便排泄時に溜水の跳ね返りを防止する便器用浮遊球体に関するものである。
【背景技術】
【０００２】従来、トイレの便座に腰を掛けて大便を排泄中に、便器の中の溜り水が跳ね返って尻に付着することが屡々あったが、この場合、予め排泄直前に、トイレットペ−パ−を数枚重ねにして、それを溜り水の上に浮かべてから大便の排泄を行っていた。しかし、トイレットペ−パ−の多量使用になり、その結果浄化槽の機能低下に繋がりかねない。
【特許文献】
【発明の開示】
【発明が解決しようとする課題】
【０００３】  水洗式のトイレにおける、トイレットペ−パ−の多量使用や水洗水量の不足によって浄化槽の浄化機能が低下しないようにし、尚且つ、また、水洗時の渦巻流に球体が吸い込まれて詰まらないようにするために、如何なる材質、形態、方法で以って大便排泄時の便器中における溜り水の跳ね返りを防止して、衛生的にするかが課題であった。また、大便排泄後に当該浮遊球体や便器の内壁に付着している大便をも水洗流で自動的に除去することも大きな課題であった。
本発明は、これらの問題点を解決する為になされたものである。
【課題を解決するための手段】
【０００４】浮力の大きい球体の材質は、実験上ゴム質の中空もの、又は、弾力のあるプラスチック材のものがよく、更に、形態は、水洗流の圧力と渦巻流の性質上直径１０〜１２センチメ−トルの球体が理想的であることも判明した。また、大便排泄後に浮遊球体の表面や便器の内壁に付着している大便を、水洗時に効率能く除去するために、浮遊球体の表面に数個以上の突起を施すことによって球体の回転数を増やすことした。
本発明は、以上のような構成からなる水洗式又は、携帯式便器用の浮遊球体である。
【発明の効果】
【０００５】本発明の使用により、便器中の溜り水が、大便の排泄中に跳ね返って尻に付着することもなく衛生的となり、排便後の水洗流によって大便も便器内からきれいさっぱり除去されるので快便にもつながり、心理的にも便秘の解消に役立つ。
【発明を実施するための最良の形態】
【０００６】  以下、本発明の実施の形態を説明する。
（イ）  浮遊球体（１）の直径は、１０〜１２センチメ−トル程度が浮力と水洗流の圧力や渦巻流とのバランスがよく、水洗時の渦巻流に浮遊球体（１）が排水口（５）に吸い込まれることもなく、又、浮遊球体（１）の浮力や直径が大きすぎても水洗流が弱くても大便の脱落効率が悪いことも判った。
（ロ）  浮遊球体（１）の表面上に直径２〜３センチメ−トル程度の半円球状又は、円錐状又は円柱状の突起（２ａ）（２’ａ）、（２ｂ）、（２’ｂ）、（２ｃ）、（２’ｃ）の６個又は、２０個を、２個一対でそれぞれ球体の中心に関して点対称の位置に、球面上で等間隔に施してある。
このことは、水洗流による浮遊球体（１）をよく回転させることによって付着した大便を脱落しやすくする為である。
（ハ）  材質は、ゴム質でも、又、プラスチック製でもよいが、水洗流の際に便器の内壁（３’）に浮遊球体（１）が接触した時にカタコトと音がしないように、弾力性があるものにした。
本発明は、以上のような構造で、これを使用するときは、便器の中の溜り水（４）に浮かべて使用する浮遊球体（１）である。
【図面の簡単な説明】
【０００７】
【図１】    本発明の正面図である。
【図２】    「図１」におけるＡ−Ａ断面の断面図である。
【図３】    本発明を便器中に浮べたときの一部断面の側面図である。
【符号の説明】
１        浮遊球体
２ａ      当該球体表面の突起
２’ａ    突起２ａと点対称の位置にある突起
２ｂ      突起
２’ｂ    突起２ｂと点対称の位置にある突起
２ｃ      突起
２’ｃ    突起２ｃと点対称の位置にある突起
３        水洗式便器、又は、携帯式便器
３’      便器の内壁
４        便器中の溜り水
５        便器の排水口
【図１】
2005344495.tif 000003
【図２】
2005344495.tif 000004
【図３】
2005344495.tif 000005
【手続補正書】
【提出日】平成17年2月26日(2005.2.26)
【手続補正１】
【補正対象書類名】特許請求の範囲
【補正対象項目名】全文
【補正方法】変更
【補正の内容】
【特許請求の範囲】
【請求項１】
浮遊球体の表面上に、直径２〜３ｃｍ程度の半球状、又は円柱状の凸部、或るいは凹部を６個、又は１４個設けた便器用浮遊球体。
【手続補正２】
【補正対象書類名】明細書
【補正対象項目名】０００４
【補正方法】変更
【補正の内容】
【０００４】浮力の大きい球体の材質は、実験上ゴム質の中空のもの、又は、弾力のあるプラスチック材のものがよく、更に、ゴム質の中空のものの形態は、水洗流の圧力と渦巻流の性質上直径１０〜１２センチメートルの球体が理想的であることも判明した。また、プラスチックの発泡スチロール製のものだと、浮力が大きい為に当該球体と水面との接触面積が少なくて、水洗流による球体の回転があまりない。そこで、大便排泄後に浮遊球体の表面や便器の内壁に付着している大便を、水洗時に効率能く除去するために、浮遊球体の表面に数個以上の突起（凸部）、又は凹部を施すことによって水洗流の作用による球体の回転数を増やすようにした。
【手続補正３】
【補正対象書類名】明細書
【補正対象項目名】０００６
【補正方法】変更
【補正の内容】
【０００６】以下、本発明の実施の形態を説明する。
（イ）  浮遊球体（１）の直径は、洋式便器の形状にもよるが、ゴム質の中空の当該球体の場合は、１０〜１２センチメートル程度が浮力と水洗流の圧力や渦巻流とのバランスがよく、水洗時の渦巻流に浮遊球体が（１）が排水口（５）に吸い込まれることもなく、又、浮遊球体（１）の浮力や直径が大きすぎても水洗流が弱くても大便の脱落効率が悪いことも判った。
（ロ）  浮遊球体（１）の表面上に直径２〜３センチメートル程度の半円球状又は、円錐状又は円柱状の凸部（突起）、又は半球状の凹部（２ａ）、（２’ａ）、（２ｂ）（２’ｂ）、（２ｃ）、（２’ｃ）の６個又は、１４個を２個一対でそれぞれ球体の中心に関して点対称の位置に、球面上で当間隔に施してある。
（ハ）  材質は、ゴム質でも、又、プラスチック製でもよいが、水洗流の際に便器の内壁（３’）に浮遊球体（１）が接触した時にカタコトと音がしないように、弾力性のあるものにした。又、浮力に優れ、且つ便器の内壁に接触した時の音の低い発泡スチロール製でもよい。発泡スチロール製の当該球体（１）の場合は、表面上に凹凸部は無くても大便の脱落性が比較的よい為に、当該球体の（１）の直径を６〜７ｃｍのものを２個浮べておいて使用しても良い。
本発明は、以上のような構造で、これを使用するときは、便器の中の溜り水（４）に浮べて使用する浮遊球体（１）である。